(57)【要約】エンドユーザ電源回路網を多相電力配電回路網に接続し該エンドユーザ電源回路網での消費をモニタする高性能計測デバイスにおいて、高性能計測デバイスを多相電力配電回路網の多相に接続する入力部と、エンドユーザ電源回路網を高性能計測デバイスに接続する単相低電圧出力部と、入力部と低電圧出力部との間の電源回路と、電力配電回路網に関連する通信サーバから送信されるコントロールメッセージを受信するモデムと、コントロールメッセージに対応して高性能計測デバイス内のスイッチング操作を制御するモデムと通信上連結するコントローラと、コントローラと通信上連結して入力部の異なるセット間で低電圧出力部をスイッチする入力スイッチを含むフェーズセレクタとを含む。
2012517788.tif 000002
【特許請求の範囲】
【請求項１】
エンドユーザ電源回路網を多相電力配電回路網に接続し該エンドユーザ電源回路網での消費をモニタする高性能計測デバイス（１０）において、
高性能計測デバイスを多相電力配電回路網の多相に接続する入力部（Ｌ１、Ｌ２、Ｌ３）と、
エンドユーザ電源回路網を高性能計測デバイスに接続する単相低電圧出力部（１、２）と、
入力部と低電圧出力部との間の電源回路（５）であって、入力部（Ｌ１、Ｌ２、Ｌ３）の異なるセット間で低電圧出力部（１、２）をスイッチする入力スイッチを含むフェーズセレクタ（４）を含み、個々のセットは多相電力配電回路網の多相の一つに対応する、電源回路（５）と、
電力配電回路網に関連する通信サーバから送信されるコントロールメッセージを受信するモデム（６）と、
コントロールメッセージに対応して高性能計測デバイス内のスイッチング操作を制御する、モデム(６)及びフェーズセレクタ（４）と通信上連結するコントローラ（３）と
を含み、
個々の単相低電圧出力部は、出力スイッチ（２１、２２）を有し、個々の単相低電圧出力部（１、２）に接続するエンドユーザ電源回路網の一部をスイッチオフするコントローラ（３）に通信上連結し、
コントローラは、フェースセレクタ（４）を操作する前に、エンドユーザ電源回路網の前記一部をスイッチオフするように、出力スイッチ（２１、２２）を操作するべく設定されている
高性能計測デバイス。
【請求項２】
フェーズセレクタ（４）の入力スイッチが、一つの単極スイッチオーバリレー（Ｒ２）が後に続く一つの三極スイッチオーバリレー（Ｒ１）であることを特徴とする請求項１に記載の高性能計測デバイス。
【請求項３】
コントローラ（３）には、エンドユーザ電源回路網での電力消費量を所定のレベルと比較する手段と、電力消費量が所定のレベルより下に落ちるまでフェーズセレクタのスイッチングを遅らせる手段と
が備わることを特徴とする請求項１又は２に記載の高性能計測デバイス。
【請求項４】
モデム（６）が、電源回路（５）に接続し、電力配電回路網に亘る通信サーバとの電力線通信のために設けられていることを特徴とする請求項１〜３のうちいずれか一に記載の高性能計測デバイス。
【請求項５】
モデムが、別の通信ネットワークを介して他の高性能計測デバイスにアドレスされたコントロールメッセージを受信して、電力配電回路網を介して他の高性能計測デバイスにこれらコントロールメッセージを伝える、ゲートウエイを含む
請求項４に記載の高性能計測デバイス。
【請求項６】
出力スイッチが、半導体スイッチング回路と並列されたリレーを含む
請求項１〜５のうちのいずれか一に記載の高性能計測デバイス。
【請求項７】
半導体スイッチング回路がトライアックを含む、
請求項６に記載の高性能計測デバイス。
【請求項８】
半導体スイッチング回路がＳＣＲを含む、
請求項６に記載の高性能計測デバイス。
【請求項９】
半導体スイッチング回路がＦＥＴを含む、
請求項６に記載の高性能計測デバイス。
【請求項１０】
請求項１〜９のうちのいずれか一に記載の高性能計測デバイス（１０）を介して、複数のエンドユーザ電源回路が接続される多相電力配電回路網の多相への負荷を操作する方法において、
相の一つに関し、相の他のものに対してより高い負荷を検出するステップと、
電力配電回路網に亘ってコントロールメッセージを送信し、接続されたエンドユーザ電源回路を一つの相から他の相へスイッチするように少なくとも幾つかの高性能計測デバイスのフェーズセレクタを操作するステップと
を含み、
フェーズセレクタ（４）は、個々の高性能計測デバイスの出力スイッチ（２１、２２）を開けた後に操作される、
方法。
【請求項１１】
フェーズセレクタ（４）の操作が一日の所定の時間に限定されている
請求項１０に記載の方法。
【請求項１２】
高性能計測デバイス（１０）により確立される個別の負荷プロファイルを用いる相と、高性能計測デバイス（１０）にて検出される最小限電圧との間の負荷不均衡を検出するステップを、更に含む
請求項１０又は１１に記載の方法。
【請求項１３】
エンドユーザ電源回路網での電力消費量を所定のレベルと比較するステップと、電力消費量が所定のレベルより下に落ちるまでフェーズセレクタのスイッチングを遅らせるステップと
を更に含む、請求項１０〜１２のうちのいずれか一に記載の方法。
【請求項１４】
多相電力配電回路網の相の各々の電圧レベルをモニタするステップと、相のスイッチングの際、最高電圧レベルを有する相にスイッチするステップと
を更に含む、請求項１０〜１３のうちのいずれか一に記載の方法。
【請求項１５】
多相電力配電回路網の相の各々に関する停電をモニタするステップと、相の一つの停電の発生の際、停電した相に接続された高性能計測デバイス（１０）のフェーズセレクタ（１０）を別の相に操作するステップと
を更に含む、請求項１０〜１４のうちのいずれか一に記載の方法。
【発明の詳細な説明】
【技術分野】
【０００１】
本発明は、請求項１の序文に係る高性能計測デバイス、及び、その高性能計測デバイスを用いて多相電力配電回路網への負荷を管理する方法に関する。
【背景技術】
【０００２】
近年、電気のための配電網の操作などを行う公益事業企業体は、電気機械式のフェラリスメータの多く若しくは全てを、遠隔読み取り可能な所謂「スマート（高性能）メータ」に置換することを始める。それらのメータと通信する方法は幾つかあるが、特にその一つ、電力線通信、即ちＰＬＣが、その用途には理想的に適する。２つの主たる利点がある。低電圧回路網オペレータ自身の手中にあるということと、メータが低電圧回路網に分岐するとメータは通信プラットフォームに自動的に接続されるので「プラグアンドプレイ」操作を得る手段であるということ、である。
【０００３】
ＰＬＣを用いて、電力供給者は、接続されたエンドユーザ電源回路網の一部、例えば、夜間のみに電力を必要とする一部を、スイッチオフすることができる。
【０００４】
特許文献１は、電力線通信システム及びそのための高性能計測デバイスの例を記載する。
【０００５】
特許文献２には、多相電力網における負荷分配のための装置が示される。この装置には、恐らく重い負荷状況にて、スイッチングするという不都合がある。
【先行技術文献】
【特許文献】
【０００６】
【特許文献１】ＥＰ−Ａ−２００９８０７
【特許文献２】ＵＳ−Ａ−６０１８２０３
【発明の概要】
【発明が解決しようとする課題】
【０００７】
本発明は、電力供給者が、電力配電回路網の相に基づき負荷の分配を管理し、負荷の無い状況下でフェーズスイッチング操作を行うことができる、高性能計測デバイスを提供することを目的とする。
【課題を解決するための手段】
【０００８】
上記の目的は、請求項１の技術的特徴を示す高性能計測デバイスにより達成される。
【０００９】
本発明によると、高性能計測デバイスには、それにより出力が一つの相から別の相にスイッチされ得るフェーズセレクタが設けられる。このように、複数のエンドユーザ電源回路網が、本発明の高性能計測デバイスにより一つの電力配電回路網に接続されるとき、電力供給者は、異なったエンドユーザ電源回路網におけるフェーズセレクタを遠隔で制御して、電力配電回路網の異なる相に亘って負荷を再分配できる。よって、負荷のより均等な拡散が達成され得る。
【００１０】
本発明によると、高性能計測デバイスには、エンドユーザ電源回路網の種々のパーツがスイッチオフされ得る、コントローラの制御下の出力スイッチが設けられる。これらの出力スイッチは、フェーズセレクタがエンドユーザ電源回路網を異なる相にスイッチするように操作する前に、開けられる。このように、相のスイッチングは、負荷の無い条件下で為され得る。計測デバイスは、その内蔵の計測回路でゼロ電流の状況を検出し、フェーズセレクタが、負荷の無い条件下でのみスイッチすることを保証する。フェーズセレクタは負荷の無い条件下でのみスイッチするので、入力スイッチは低接触抵抗に対して最適化可能であり、これにより、入力スイッチの接触の損耗が実質的に生じることは無く、フェーズセレクタの長寿命が保証され得る。出力スイッチは、相がスイッチされた後、直ぐに再び閉じられる。全体の操作は、エンドユーザ電源回路網への電力の遮断を意味するに過ぎず、エンドユーザ電源回路網に接続する電気器具に何ら問題を生じない。
【００１１】
負荷不均衡に基づいて所与の回路網に関して或るメータの相をスイッチする可能性に加えて、スイッチングは、最小限及び最大限の限度の外となる（通常、ＬＶケーブル若しくはＬＶラインの端の）相電圧に基づいても決定され得る。フェーズセレクタを装備する高性能メータは、最初の導入の際に、最高電圧で相に接続するように構成され得る。中央サーバは、或るメータに対して、最良の電力品質（例えば、その相での最高電圧）にスイッチするように命ずることもできる。保護フューズの作用のために一つの相がスイッチオフした場合、メータは、通常の電圧レベルを尚キャリーする一つの層にスイッチするように設定され得る。このことは、コントローラのアルゴリズムの適切なステップにより局所的に、若しくは、サーバからのコントロールメッセージにより遠隔的に、達成され得る。
【００１２】
フェーズスイッチング操作は、電力消費が、例えば、夜間に低くなるときに行われる。好適な実施形態では、電力消費は、電力消費が所定のレベルより下に落ちるときを検出する内蔵計測回路により、高性能計測デバイス内でモニタされ、顧客若しくは電気器具へのインパクトを限定すべく、その際にのみ相スイッチング操作が行われる。高性能計測デバイスは、消費電力及びステータス情報をサーバに送信するように、中央メータ管理サーバと通信でき、該サーバはその際、コントロールメッセージ及び／又はパラメータを送り返し、これにより相スイッチング操作を確立することが可能になる。所定の電力消費レベルは、例えば、管理システムにより、設定可能である。
【００１３】
フェーズセレクタは、適切なコントロール信号により、個別に若しくはグループで制御され得る。これら信号は、高性能計測デバイスの通信モデムに対して、周知の通信ネットワークを介して、例えば、同軸ケーブル、電話線などの地上通信線に亘る、又は、３Ｇ、ＧＰＲＳなどの無線ネットワークに亘る、インターネットを介して、送信され得る。
【００１４】
好適な実施形態では、高性能計測デバイスの通信モデムは、ＰＬＣ通信のために設けられ、これにより、電力配電回路網自身が、コントロールメッセージのために利用され得、独立した回路網の必要が無くなり得る。
【００１５】
好適な実施形態では、本発明に係る多数の高性能計測デバイスを含む回路網において、一つ若しくはそれ以上の高性能計測デバイスが、ＰＬＣ通信のために設けられた通信モデムを有し、他の、非ゲートウエイ高性能計測デバイスに対するゲートウエイとして機能する。このことは、ＰＬＣサーバと非ゲートウエイ高性能計測デバイスとの間の通信が、ゲートウエイ高性能計測デバイスの一つを介して、発生することを意味する。例えば、エンドユーザの設備に存する、インターネット、電話線若しくは他の通信ネットワークが、ゲートウエイとＰＬＣサーバの間の通信のために利用可能である場合に、この解決策は非常に有用である。通信ネットワークは、当業者に周知の無線通信ネットワークであってもよい。多数のゲートウエイが存する場合、必要であれば、ゲートウエイ機能は一つのものから別のものに転送され得る。
【発明の効果】
【００１６】
本発明は、以下の記載及び添付の図面により、更に明らかにされる。
【図面の簡単な説明】
【００１７】
【図１】本発明に係る高性能計測デバイスのブロック図を示す。
【図２】本発明に係る高性能計測デバイスの、フェーズセレクタ及び関連する操作テーブルの好適な実施形態を示す。
【図３】本発明の形態に係る高性能計測デバイス内のアウトプットスイッチング手段として利用可能な回路を示す。
【発明を実施するための形態】
【００１８】
特定の実施形態及び図面を参照して本発明を説明する。しかしながら、本発明は、それらに限定されるものではなく、請求項により記載する。図面は模式的なものであり、限定的なものではない。図面では、例示のために、サイズを誇張しスケールに従わずに描いている要素もある。寸法及び相対的寸法は、本発明を実施する実際の縮尺に従わないものもある。
【００１９】
更に、明細書中及び請求項中の、第１、第２、第３等の用語は、同様の要素間で区別をするために利用するものであり、必ずしも順序や時間経過を示すものではない。これら用語は適宜の条件下で相互入れ換え可能であり、本発明の実施形態は、本明細書の記載の若しくは例示のもの以外の順序でも、実施可能である。
【００２０】
更に、明細書中及び請求項中の、頂部、底部、上、下等の用語は、記述のために利用するものであり、必ずしも相対的位置を示すものではない。これら用語は適宜の条件下で相互入れ換え可能であり、本明細書に記載の本発明の実施形態は、本明細書の記載の若しくは例示のもの以外の方向でも、実施可能である。
【００２１】
請求項で用いる「含む」の用語は、以下記載する手段に限定して解釈されるものではない。他の要素やステップを排除するものではない。記載の特性、数値、ステップ若しくは記載のコンポーネントを特定するものとして解釈される必要があるが、一つ若しくはそれ以上の特性、数値、ステップ若しくはコンポーネント又はそれらの組み合わせの存在や追加を排除するものではない。よって、「手段Ａ及びＢを含むデバイス」との表現の範囲は、コンポーネントＡとＢのみからなるデバイスに限定されるべきではない。本発明に関して、デバイスの関連のコンポーネントがＡとＢである、ということを意味するのである。
【００２２】
図１は、本発明に係る高性能計測デバイスの実施形態を示す。該高性能計測デバイスは、三相配電回路網に接続するための電圧入力部Ｌ１、Ｌ２、Ｌ３、エンドユーザ電源回路網への低電圧（ＬＶ）出力回路２１、２２、入力部と出力部を接続する（内蔵の、若しくは外部の）電源回路５、電力配電回路網に亘って、及び／又は他の回路網に亘ってメッセージを送信し受信するためのモデム「ＷＡＮ  Ｉ／Ｆ」６、例えば、電力配電回路網に関連する通信サーバ／センタから電力配電回路網に亘って受信され得るコントロールメッセージに応答してスイッチング操作を制御するためのコントローラ「ＣＰＵ／ＤＳＰ」３、受信したコントロールメッセージに応答して、それにより電力配電回路網の異なった相に出力がスイッチされ得る、入力におけるフェーズセレクタ４を、含む。
【００２３】
図１の高性能計測デバイスの更なる特徴は、特許文献１に記載されており、該特許文献１は参照の上全体として本明細書に組み込まれる。
【００２４】
電力線通信（ＰＬＣ）は、コントロールメッセージを高性能メータに送信するための周知の技術である。それは、主要周波数のかなり外側の所定の周波数帯（例えば、セネレック（Ｃｅｎｅｌｅｃ；欧州電気標準化委員会）バンドＡ、若しくは他の周知の帯域）を利用する。
【００２５】
高性能電気メータは、一般的に、それらのＬＶ出力回路のオン若しくはオフをスイッチングすることにより負荷を制御するために用いられる。図１の２つの出力ブロック２１、２２は両方とも、高性能メータのＬＶ電源回路内で機能しており、回路網操作及び利用を向上させる助けとなる更なる機能も実施できるものである。
【００２６】
大抵のＬＶ回路網では、中性線を伴って若しくは伴わず、三相が供給されている。大抵の顧客はこれら三相の一つの相にのみ接続されており、一方で接続ケーブル上で利用可能な三相を有するものも多数である。ＬＶトランスフォーマ及び／又は回路網ケーブルが不均等に負荷が掛けられているために過剰加温や必要以上の電圧降下を生じてしまう、ということを意味する、著しく不均衡な相を、多くの回路網は有する。図１の高性能計測デバイスにより可能になる、三相上で不可のバランスを遠隔で且つ自動的に取れることには、複数の利点がある。トランスフォーマ及びケーブルのより良好な電力操作、電力品質が増大し得るより低い電力損失及び電圧降下、などである。このことは、図１の単相の入力にフェーズセレクタ４を加えることにより、達せられる。
【００２７】
高性能メータは、相選択操作を不可の無い条件下で行える、その出力上での顧客の荷をスイッチオフする能力を有する。このことにより、相スイッチングを行うためのより簡素でコストの掛からないリレー若しくはリレーの組み合わせを利用することが可能になる。顧客の電力の利用が所与のレベル以下に降下するまで、高性能メータがフェーズスイッチングを行うことを待つように、知能を搭載することが可能であり、このことにより、短時間の遮断の影響を最小限にできる。フェーズスイッチングは、居住者に対して生じる混乱を更に少なくするために、例えば、深夜などの一日の所定の時間に限定されてもよい。
【００２８】
本発明に係る高性能計測デバイスを用いることにより、検討下の電力配電回路網の部分上で決定される個別の負荷プロファイル、及び、その回路網の部分上の個別の高性能メータ上で検出される最小限電圧を用いた負荷計算に基づき、ＬＶケーブル内の負荷不均衡若しくはあまりにも低い電圧が中央システム上で検出され得る。エンドユーザのグループのフェーズスイッチングは、順次実施され、負荷不均衡を補償し、若しくは、該相内のあまりにも低い電圧レベルを上昇させる。
【００２９】
図２は、二つのリレーＲ１、Ｒ２、特に、一つの三極スイッチオーバリレーＲ１に続く一つの単極スイッチオーバリレーＲ２を伴う、相をスイッチするためのフェーズセレクタ４の好適な実施形態を示す。以下の操作テーブル（表１）は、リレーの異なる位置が、出力サイドＯ１−Ｏ２上に現れる異なる相と如何に関連するかを説明している。
【００３０】
【表１】
2012517788.tif 000003
操作テーブル
【００３１】
前述の形態と組み合わることも組み合わせないことも可能である、本発明に係る高性能計測デバイスの別の形態では、出力スイッチング手段は、並列の半導体スイッチを伴うパワーリレーを含む。可能な構成を図３に示す。ＡをＡ’に、ＢをＢ’に夫々接続することにより、３つのオプション（トライアック、ＳＣＲ若しくはＦＥＴ）がリレー接触に並列して配置される。半導体は、電気的に制御されるものでも光学的に制御されるものでもよい。半導体は、周辺要素を示さずに記号により示している。
【００３２】
高性能メータは、顧客を遠隔でスイッチオフできるように、出力にてパワーリレーを一般に備える。このリレーは、頻繁に重い負荷の下で、ときには繰り返して、スイッチの接触に過熱と重い損耗を生じ得るマルチプルスイッチング操作を維持可能でなければならない。このことは、ある種の半導体スイッチによるスイッチングアクションを実施することによる高性能計測デバイスのこの形態で是正され、該半導体スイッチが最大定格化で動作される限り害半導体スイッチにはスイッチング時には殆ど損耗を生じない。半導体スイッチは、実際、この形態ではリレーよりも遥かに信頼性があり得る。しかしながら、この欠点は、半導体内で消散してしまう電力があり、該電力は半導体を加熱せしめ、更に電力損失として考慮されなければならない。両方のタイプのスイッチを並列で利用することで、適切なスイッチングシーケンスが用いられるときの両方の問題を解決する。リレー接触は、この構成では非常に低い接触抵抗に対して最適化可能であり、スパーク放火メカニズムは実施しなくてもよいので接触の隙間距離は減少できる。それらは、時々相当に誘導され得る高電流を遮断できるリレーよりも低いコストのものであり、パワー半導体の追加のコストを補償するものである。
【００３３】
高性能計測デバイスのケースでリレー接触に並列して半導体スイッチを利用することからの更なる利点は、回路網オペレータが、例えば、公的に照明を調節すること、つまり、インシデントの場合の高い突入電流、即ち短絡回路上の激しいスイッチオンを回避すべくスイッチオフ後の再給電の際に顧客の負荷を徐々にスイッチオンすることができるような、パワーモジュラとして動作できることを、該半導体が提供することである。
【００３４】
メータが好適な照明のためのモジュレータとして用いられるときには、メータ内のパワー半導体の過熱を回避するように注意すべきである。このため、これら半導体のための十分な冷却能力を設けるように注意すべきであり、それらの温度がモニタされて過熱の危険の際には負荷を安全にスイッチオフするべきである。利用される半導体は、接合部で消散する電力を限定すべく低抵抗であるべきである。
【００３５】
半導体としては、トライアック、サイリスタ若しくはパワーＦＥＴが適切である（いずれも逆並列若しくは直列の構成で搭載され、逆電圧に対してダイオードにより保護される）。トライアック及びサイリスタは、自動ゼロ電流遮断の利点を提供し、パワーＦＥＴは負荷の下でより低い電力損失の利点を提供できる。
【００３６】
高性能メータは、適切なスイッチングシーケンスが用いられることを保証する必要なインテリジェンスを含み、よって操作の安全は保証される。例として、負荷をスイッチオン若しくはオフする最良の瞬間は負荷のタイプに依存する。主たる負荷抵抗はゼロ電圧交差にて最もよくスイッチオン若しくはオフされ得、誘導負荷は電圧最大値にて最もよくスイッチオン若しくはオフされる。その際に電流が概略その最小値近くであるからである。高性能メータは電流と電圧の両方をデジタル化するので、最良のスイッチオフの瞬間は電流及び電圧に基づいて選択され得る。最良のスイッチオンの瞬間は、これが十分に最近であるときの、若しくは、有効な最近の情報が入手可能でないならば電圧ゼロのときの、最近の情報に基づくことができる。いずれにせよ、半導体の開く角度を徐々に増加させることにより柔らかくスイッチオンすることが好ましい。このようにすれば、どの負荷でも過剰な電流を避けられるからである。トライアック若しくはサイリスタは、ゼロ電流近くで常時スイッチオフである。このことは大抵の抵抗負荷には理想的であるが、誘導負荷にはあまりよいことではない。過電圧の生成に繋がり得るからである。これらの過電圧に対して半導体を保護するために、サージリミッタがこれら半導体と並列して設けられてもよい。
【００３７】
常時、リーク電流、瑕疵ある半導体接合、及び遠隔スイッチオンコマンドの可能性があるので、これらの出力回路の開きは安全であるとは決して考えられない。主たる電圧の安全な遮断が必要であれば、ＬＶ接続と内蔵設置の間に特別の手動操作スイッチを加えてもよい。
【符号の説明】
【００３８】
３・・・コントローラ、４・・・フェーズセレクタ、５・・・電源回路、６・・・モデム、１０・・・高性能計測デバイス。
【図１】
2012517788.tif 000004
【図２】
2012517788.tif 000005
【図３】
2012517788.tif 000006
【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
エンドユーザ電源回路網を多相電力配電回路網に接続し該エンドユーザ電源回路網での消費をモニタする高性能計測デバイス（１０）において、
高性能計測デバイスを多相電力配電回路網の多相に接続する入力部（Ｌ１、Ｌ２、Ｌ３）と、
エンドユーザ電源回路網を高性能計測デバイスに接続する単相低電圧出力部（１、２）と、
入力部と低電圧出力部との間の電源回路（５）であって、入力部（Ｌ１、Ｌ２、Ｌ３）の異なるセット間で低電圧出力部（１、２）をスイッチする入力スイッチを含むフェーズセレクタ（４）を含み、個々のセットは多相電力配電回路網の多相の一つに対応する、電源回路（５）と、
電力配電回路網に関連する通信サーバから送信されるコントロールメッセージを受信するモデム（６）と、
コントロールメッセージに対応して高性能計測デバイス内のスイッチング操作を制御する、モデム(６)及びフェーズセレクタ（４）と通信上連結するコントローラ（３）と
を含み、
個々の単相低電圧出力部は、出力スイッチ（２１、２２）を有し、個々の単相低電圧出力部（１、２）に接続するエンドユーザ電源回路網の一部をスイッチオフするコントローラ（３）に通信上連結し、
コントローラは、フェーズセレクタを操作するためのコントロールメッセージを受け取ると、フェーズセレクタ（４）を操作する前に、エンドユーザ電源回路網の前記一部をスイッチオフするように、出力スイッチ（２１、２２）を操作するべく設定されている
高性能計測デバイス。
【請求項２】
フェーズセレクタ（４）の入力スイッチが、一つの単極スイッチオーバリレー（Ｒ２）が後に続く一つの三極スイッチオーバリレー（Ｒ１）であることを特徴とする請求項１に記載の高性能計測デバイス。
【請求項３】
コントローラ（３）には、エンドユーザ電源回路網での電力消費量を所定のレベルと比較する手段と、電力消費量が所定のレベルより下に落ちるまでフェーズセレクタのスイッチングを遅らせる手段と
が備わることを特徴とする請求項１又は２に記載の高性能計測デバイス。
【請求項４】
モデム（６）が、電源回路（５）に接続し、電力配電回路網に亘る通信サーバとの電力線通信のために設けられていることを特徴とする請求項１〜３のうちいずれか一に記載の高性能計測デバイス。
【請求項５】
モデムが、別の通信ネットワークを介して他の高性能計測デバイスにアドレスされたコントロールメッセージを受信して、電力配電回路網を介して他の高性能計測デバイスにこれらコントロールメッセージを伝える、ゲートウエイを含む
請求項４に記載の高性能計測デバイス。
【請求項６】
出力スイッチが、半導体スイッチング回路と並列されたリレーを含む
請求項１〜５のうちのいずれか一に記載の高性能計測デバイス。
【請求項７】
半導体スイッチング回路がトライアックを含む、
請求項６に記載の高性能計測デバイス。
【請求項８】
半導体スイッチング回路がＳＣＲを含む、
請求項６に記載の高性能計測デバイス。
【請求項９】
半導体スイッチング回路がＦＥＴを含む、
請求項６に記載の高性能計測デバイス。
【請求項１０】
請求項１〜９のうちのいずれか一に記載の高性能計測デバイス（１０）を介して、複数のエンドユーザ電源回路が接続される多相電力配電回路網の多相への負荷を操作する方法において、
相の一つに関し、相の他のものに対してより高い負荷を検出するステップと、
電力配電回路網に亘ってコントロールメッセージを送信し、接続されたエンドユーザ電源回路を一つの相から他の相へスイッチするように少なくとも幾つかの高性能計測デバイスのフェーズセレクタを操作するステップと
を含み、
フェーズセレクタ（４）は、個々の高性能計測デバイスの出力スイッチ（２１、２２）を開けた後に操作される、
方法。
【請求項１１】
フェーズセレクタ（４）の操作が一日の所定の時間に限定されている
請求項１０に記載の方法。
【請求項１２】
高性能計測デバイス（１０）により確立される個別の負荷プロファイルを用いる相と、高性能計測デバイス（１０）にて検出される最小限電圧との間の負荷不均衡を検出するステップを、更に含む
請求項１０又は１１に記載の方法。
【請求項１３】
エンドユーザ電源回路網での電力消費量を所定のレベルと比較するステップと、電力消費量が所定のレベルより下に落ちるまでフェーズセレクタのスイッチングを遅らせるステップと
を更に含む、請求項１０〜１２のうちのいずれか一に記載の方法。
【請求項１４】
多相電力配電回路網の相の各々の電圧レベルをモニタするステップと、相のスイッチングの際、最高電圧レベルを有する相にスイッチするステップと
を更に含む、請求項１０〜１３のうちのいずれか一に記載の方法。
【請求項１５】
多相電力配電回路網の相の各々に関する停電をモニタするステップと、相の一つの停電の発生の際、停電した相に接続された高性能計測デバイス（１０）のフェーズセレクタ（１０）を別の相に操作するステップと
を更に含む、請求項１０〜１４のうちのいずれか一に記載の方法。
【国際調査報告】
2012517788.tif 000007
2012517788.tif 000008
2012517788.tif 000009
2012517788.tif 000010